(57)【特許請求の範囲】
【請求項１】
ドア開口部を開閉するドア本体を備えた車両における車両用照明構造であって、
前記ドア本体に配設され、紫外光を照射可能な光源と、
前記ドア開口部の開口縁に配設され、前記光源からの前記紫外光によって励起されて蛍光により発光する発光部と、を備え、
前記ドア本体は、前記ドア開口部に対してスライド移動することで当該ドア開口部を開閉する構成とされており、
前記ドア本体の開閉動作に伴って、前記発光部に対する前記光源からの前記紫外光の照射領域が変位することで、前記発光部における発光範囲が変位する構成とされ、
前記ドア本体が閉じた状態から開いた状態へと変更される過程で、前記発光部に対する前記光源からの前記紫外光の照射領域が前記発光部における車両前側領域から全域へと変位することで、前記ドア本体が開いた状態では前記発光部の全域が発光する構成とされ、
前記発光部は、発光することで、車両前側から順次に識別可能な識別情報を有し、前記ドア本体の開閉動作に伴って、車両前側から順次に識別情報が発光表示される構成である車両用照明構造。
【請求項２】
前記ドア本体は、前記ドア開口部に対してスライド移動することで当該ドア開口部を開閉する構成とされており、
前記光源は、前記ドア本体に配設されており、
前記発光部は、前記ドア開口部の開口縁のうち、車両下側に設けられたスカッフプレートに配設されている請求項１に記載の車両用照明構造。
【請求項３】
前記光源は、前記ドア本体が閉じた状態から開いた状態へと変更される際に、前記紫外光を照射しない消灯状態から前記紫外光を照射する点灯状態へと変更される構成である請求項１または請求項２に記載の車両用照明構造。
【発明の詳細な説明】
【技術分野】
【０００１】
本発明は、車両用照明構造に関する。
【背景技術】
【０００２】
従来、車両用照明構造として、下記特許文献１に記載のものが知られている。特許文献１に開示の構成は、紫外線反応型の暗所発光用蛍光インキにより板状体に社名、標語、記号、図形、文字、もしくは図柄の表示物が印刷されるか、または印刷が施されたラベルが貼着された表示体と、前記表示体に紫外線を照射させて前記表示物を発光させる紫外線発光器と、を備えている。そして、紫外線発光器が、表示体に対して分離されて適当な距離および適当な角度にて車体内もしくは車体装備品に取付けられることが記載されている。
【先行技術文献】
【特許文献】
【０００３】
【特許文献１】実用新案登録第３１４７０２９号公報
【発明の概要】
【発明が解決しようとする課題】
【０００４】
しかしながら、特許文献１に開示の構成では、紫外線発光器（光源）と、表示体（発光部）との位置関係が常時一定とされており、その照明態様がワンパターンで、乗員の目を引くような意匠を実現することができない。
【０００５】
一方、車両用照明構造において、発光部における発光範囲を変位させてその意匠性を向上するための構成として、例えば、複数の光源を配列した上で、各光源の点灯タイミングをずらすような構成では、構造が複雑となり、問題があった。
【０００６】
本発明は上記のような事情に基づいて完成されたものであって、簡易な構成で意匠性に優れた車両用照明構造を提供すること目的とする。
【課題を解決するための手段】
【０００７】
上記課題を解決するために、本発明の車両用照明構造は、ドア開口部を開閉するドア本体を備えた車両における車両用照明構造であって、前記ドア本体と前記ドア開口部の開口縁とのいずれか一方に配設され、紫外光を照射可能な光源と、前記ドア本体と前記ドア開口部の開口縁とのいずれか他方に配設され、前記光源からの前記紫外光によって励起されて蛍光により発光する発光部と、を備え、前記ドア本体の開閉動作に伴って、前記発光部に対する前記光源からの前記紫外光の照射領域が変位することで、前記発光部における発光範囲が変位する構成とされている。本発明によれば、ドア本体の開閉動作と発光部における発光範囲とを連動させることができ、簡易な構成で意匠性に優れた車両用照明構造を提供することができる。
【０００８】
上記構成において、前記ドア本体は、前記ドア開口部に対してスライド移動することで当該ドア開口部を開閉する構成とされており、前記光源は、前記ドア本体に配設されており、前記発光部は、前記ドア開口部の開口縁のうち、車両下側に設けられたスカッフプレートに配設されていてもよい。このような構成によれば、乗員の乗降に際して、特に目につきやすいスカッフプレートにおいて、ドア本体のスライド動作と発光部における発光範囲とを連動させることができ、特に意匠性に優れる。
【０００９】
上記構成において、前記ドア本体は、前記ドア開口部に対してスライド移動することで当該ドア開口部を開閉する構成とされており、前記光源は、前記ドア本体に配設されており、前記発光部は、前記ドア開口部の開口縁に配設されており、前記ドア本体が閉じた状態から開いた状態へと変更される過程で、前記発光部に対する前記光源からの前記紫外光の照射領域が前記発光部における車両前側領域から全域へと変位することで、前記ドア本体が開いた状態では前記発光部の全域が発光する構成とされていてもよい。このような構成によれば、ドア本体が開く過程で、発光部が発光範囲を漸次拡大していき、その後、ドア本体が開いた状態とされて、乗員が乗降する際には、発光部の全域を視認することができ、特に意匠性に優れる。
【００１０】
上記構成において、前記発光部は、発光することで、車両前側から順次に識別可能な識別情報を有していてもよい。このような構成によれば、ドア本体が閉じた状態から開いた状態に変化する際に、発光部の識別情報を順次に認識することができ、乗員の目を引く意匠を実現することができる。
【００１１】
上記構成において、前記光源は、前記ドア本体が閉じた状態から開いた状態へと変更される際に、前記紫外光を照射しない消灯状態から前記紫外光を照射する点灯状態へと変更される構成であってもよい。このような構成によれば、ドア本体の動作と光源の点灯とを連動させるうえで、特に好適である。
【発明の効果】
【００１２】
本発明によれば、簡易な構成で意匠性に優れた車両用照明構造を提供することができる。
【図面の簡単な説明】
【００１３】
【図１】本発明の実施形態１に係るドア本体が閉じた状態を示す側面図
【図２】図１のドア本体が開いた状態を示す側面図
【図３】車両用照明構造を示す斜視図
【図４】車両用照明構造を示す断面図（図３のＩＶ−ＩＶ線断面図）
【図５】光源の照射領域と発光部の発光範囲を示す説明図
【図６】本発明の実施形態２に係る車両用照明構造を示す斜視図
【図７】ドア本体が閉じた状態を示す説明図
【図８】ドア本体が開いた状態を示す説明図
【図９】本発明の実施形態３に係るドア本体が開いた状態を示す説明図
【発明を実施するための形態】
【００１４】
＜実施形態１＞
本発明の実施形態１を図１ないし図５によって説明する。本実施形態では、車両１０における車両用照明構造について例示する。車両１０は、図１及び図２に示すように、いわゆるワンボックスタイプであり、後部座席１２への乗降口として機能するドア開口部４０と、ドア開口部４０を開閉するドア本体２０と、を備えている。なお、以下の説明では、図１及び図２の左側を車両前方とし、右側を車両後方として説明する。
【００１５】
ドア本体２０は、図４に示すように、ドアパネル２１と、ドアパネル２１の車室内側に配されるドアトリム２３と、を備えている。ドアパネル２１は、金属製のアウタパネル２１Ａ及びインナパネル２１Ｂから構成されている。ドアトリム２３は、例えばポリプロピレン等の合成樹脂製のトリムボードを主体に構成されている。
【００１６】
ドア本体２０は、図１及び図２に示すように、ドア開口部４０に対してスライド移動することで当該ドア開口部４０を開閉するスライドドアとされている。ドア本体２０は、図１に示すようにドア開口部４０を閉塞する閉じた状態と、図２に示すようにドア開口部４０を開放する開いた状態とを、スライド動作によって変更可能な構成とされている。ドア本体２０には、これを閉じた状態から開いた状態ヘと変更するためのドアハンドル部２４が車両前方に設けられている。
【００１７】
ドアハンドル部２４には、図３及び図４に示すように、使用者が把持して操作する把持部が設けられている。この把持部は、ドア本体２０の内側と外側にそれぞれ配設されている。ドアハンドル部２４における把持部以外の部分は、ドア本体２０の内部に設けられており、その図示を省略する。なお、ドアハンドル部２４は、把持部以外の各種スイッチによっても適宜操作可能とされてもよい。
【００１８】
ドアトリム２３には、図４に示すように、その車両前方かつ車両上方にドアハンドル部２４が配置されている。そして、ドアトリム２３には、ドアハンドル部２４の把持部の下方が車室内に膨出する膨出部２５が設けられている。膨出部２５は、ドア本体２０が開いた状態においても、ドア開口部４０内に位置する部分とされる。この膨出部２５の下面は、車室内側かつ車両下側を向く傾斜面２５Ａとなっている。この傾斜面２５Ａには、光源ユニット３０が一部露出する形で配設されている。光源ユニット３０は、後部座席１２に着座した乗員の目の高さより低い位置に配されるとともに、膨出部２５の奥方に位置して、直接的に乗員に視認され難い配置となっている。
【００１９】
光源ユニット３０は、図３及び図４に示すように、ＬＥＤ（光源）３１と、ＬＥＤ３１からの光を導光するライトガイド３２と、ドアトリム２３の板面に沿って延在するとともに、ライトガイド３２から出射された光透過性を有するカバー部３３と、ライトガイド３２を車室外側から覆う形で、これを収容する光透過性を有しないケーシング３４と、を備えて構成されている。光源ユニット３０は、ドアトリム２３に対して固定され、ドアトリム２３（ドア本体２０）に付随して、共に移動する構成となっている。
【００２０】
ＬＥＤ３１は、紫外光を照射可能な構成とされている。具体的には、ＬＥＤ３１は、後述する蛍光体を発光可能な所定の波長域、例えば、３６０ｎｍ〜４００ｎｍ程度の波長域の紫外線を照射するものとされている。ＬＥＤ３１からの紫外線は、蛍光体の励起に必要なエネルギーを有すると共に、人体の皮膚等への影響もないことが確認されている。
【００２１】
ＬＥＤ３１は、ドア本体２０が閉じた状態から開いた状態へと変更される際に、前記紫外光を照射しない消灯状態から前記紫外光を照射する点灯状態へと変更される構成である。具体的には、ＬＥＤ３１には、図示しないワイヤーハーネスを介して電力が供給されており、ドア開口部４０の開口縁に設けられたスイッチ（不図示）が、ドア本体２０が開いた状態であることを検知すると、ＬＥＤ３１に電力が供給され、これが点灯する仕組みとなっている。つまり、ＬＥＤ３１は、ドア本体２０と連動して点灯／消灯する、いわゆるドア連動の光源である。また、ＬＥＤ３１は、夜間等、外部の照度が低いときにのみ点灯状態となる光源である。
【００２２】
ライトガイド３２は、図３に示すように、長手状をなし、長手方向を車両前後方向に沿わせる姿勢で配置されている。ライトガイド３２は、その一端面がＬＥＤ３１からの紫外光が入射される光入射面とされるとともに、その一側面が光入射面から入射した紫外光が出射される光出射面とされている。つまり、ライトガイド３２は、点状光源であるＬＥＤ３１からの紫外光を、面状に配光して、所定の照射領域３１Ａに照射するレンズのような機能を有している。なお、ライトガイド３２から紫外光が出射される態様については、後に説明する。
【００２３】
ドア開口部４０は、図３に示すように、車両１０の側面に開口する形で設けられている。ドア開口部４０は、その開口縁が主に、車両外側においては、車両ボディで構成されるとともに、車両内側においては車両用内装材で構成されている。なお、本願において「開口縁」とは、開口部の内面及び開口部に隣接して所定の領域を有する部分を意味するものとする。ドア開口部４０の開口縁のうち下縁部４０Ａは、車両外側がサイドシル４１で構成されるとともに、車両内側がスカッフプレート４２で構成されている。
【００２４】
スカッフプレート４２は、図４に示すように、車室フロア面１４に連なるフロア連接部４２Ａと、フロア連接部４２Ａより一段低いステップ部４２Ｂとを備え、階段状に構成されている。ステップ部４２Ｂは、その上面が車両前後方向に沿って長い長方形をなし、乗員が乗降時に利用するための踏み台としての役目を果たす。言い換えれば、ステップ部４２Ｂは、車両１０に乗降する乗員の足元において、特に乗員の目を引きやすい部分であると言える。このステップ部４２Ｂには、上面に加飾パネル４４が配設されている。
【００２５】
加飾パネル４４は、図３及び図４に示すように、合成樹脂製や金属製等の板状部材で構成され、車両前後方向に沿って延びる長手状をなしている。加飾パネル４４は、その周囲の照度が低いときにその意匠を構成する発光部４５と、周囲の照度が高いときにその意匠を構成する非発光意匠部４６と、を有している。非発光意匠部４６としては、板状部材の表面にメッキ調の加飾処理がされることで、可視光下で識別可能な金属光沢を有する意匠を例示することができる。また、半透光性を有する非発光意匠部４６を、発光部４５の表側に積層する形で配設して、発光部４５を保護するコーティング層として機能させてもよい。なお、非発光意匠部４６の態様はこれに限られず、例えば別の態様として、後述する発光部４５における識別情報が板状部材の表面に立体的に刻印された意匠等であってもよい。
【００２６】
発光部４５は、ＬＥＤ３１からの紫外光によって励起されて蛍光により発光する構成とされている。具体的には、発光部４５は、３６０ｎｍ〜４００ｎｍ程度の波長域の紫外線で励起される蛍光体を含有する蛍光塗料を板状部材に塗布することで塗膜状に構成されている。或いは、発光部４５は、同様の波長域で励起される蛍光体が内部に分散して配合された透明な樹脂材料で構成することもできる。蛍光体としては、一種類のものを用いてもよく、異なる色味に発光する多種類のものを適宜組み合わせて用いてもよい。この蛍光体は半透明なものが採用されており、発光部４５は、光透過性を有し、可視光下において、視認され難い構成とされている。つまり、加飾パネル４４は、可視光下においては、非発光意匠部４６に係る意匠が視認される一方、発光部４５に係る意匠が視認され難い構成とされている。
【００２７】
発光部４５は、図６に示すように、発光することで、車両前方から順次に識別可能な識別情報を有している。識別情報としては、文字列、記号、図案等が車両前方から配列された、例えば、会社名、商品名、商標、あるいはロゴマークなどを例示することができる。各図においては、識別情報として、車両前方から配列された「ＡＢＣＤＥ」のアルファベットからなるものを例示する。また、各図において、発光部４５において、発光状態の部分を実線で示すとともに、非発光状態の部分を点線で示している。
【００２８】
続いて、本実施形態における車両用照明構造の作用について説明する。
まず、昼間等、周囲の照度が高い場合には、ＬＥＤ３１は消灯状態とされ、加飾パネル４４は可視光下において非発光意匠部４６に係る意匠を呈している。また、夜間等、周囲の照度が低い場合であって、ドア本体２０が閉じた状態では、ＬＥＤ３１は消灯状態とされ、また、加飾パネル４４は後部座席１２とドア本体２０との間において、乗員に視認され難い位置に配されており、目につきにくい状態となっている。
【００２９】
次に、夜間等、周囲の照度が低い場合であって、ドア本体２０が閉じた状態から開いた状態に変更されると、ＬＥＤ３１が点灯状態とされ、加飾パネル４４は発光部４５に係る意匠を呈する。この際、ドア本体２０の開閉動作に伴って、発光部４５に対するＬＥＤ３１からの紫外光の照射領域３１Ａが変位することで、発光部４５における発光範囲４５Ａが変位する構成とされている。本実施形態では、ドア本体２０が閉じた状態から開いた状態へと変更される過程で、発光部４５に対するＬＥＤ３１からの紫外光の照射領域３１Ａが発光部４５における車両前側領域から全域へと変位することで、ドア本体２０が開いた状態では発光部４５の全域が発光する構成とされている。この具体的な態様について次述する。
【００３０】
ドア本体２０が閉じた状態において、乗員がドアハンドル部２４を操作すると、ドア本体２０が車両後方に向けてスライド移動を開始する。すると、ＬＥＤ３１が消灯状態から点灯状態に変更される。図１に示すように、ＬＥＤ３１からの紫外光は、ライトガイド３２によって車両下方かつ車両前方に配光されて、加飾パネル４４の車両前方をその照射領域３１Ａとして出射される。ドア本体２０が閉じた状態から開いた状態へと変更される初期段階では、照射領域３１Ａと発光部４５とが重ならず、発光部４５は発光しない状態となっている（図５（ａ）参照）。なお、図５においては、紫外光の照射領域３１Ａを網掛け状に示している。この際、紫外光や発光部４５が車内又は車外の乗員に視認されないばかりか、非発光意匠部４６も視認され難く、乗員は加飾パネル４４に注目することがない。
【００３１】
さらにドア本体２０が車両後方に向けてスライド移動すると、これに付随して紫外光の照射領域３１Ａも車両後方に向けて移動する。そして、照射領域３１Ａと発光部４５とが一部重なると、発光部４５において、照射領域３１Ａと重なる車両前側の部分が発光し、照射領域３１Ａと重ならない車両後側の部分が発光しない状態となる（図５（ｂ）参照）。この際、乗員は、あたかも何もないところから、識別情報の先頭部分が浮かびあがったような印象を受ける。
【００３２】
さらにドア本体２０が車両後方に向けてスライド移動すると、照射領域３１Ａと発光部４５とが重なる領域が車両前側から後側に向けて漸次拡大していき、発光部４５における発光範囲４５Ａが同様に漸次拡大していく。つまり、発光部４５における発光範囲４５Ａの拡大は、ドア本体２０のスライド移動と同じタイミング及び同じ速度で行われる。このため、発光部４５はドア本体２０の動作との調和がとれた審美性に優れた意匠を呈する。この過程で、乗員は、先頭から順次発光していく識別情報を順に認識していくことができる。
【００３３】
そして、図２に示すように、ドア本体２０が開いた状態に至ると、照射領域３１Ａが発光部４５の全域と重なり、発光部４５の全域が発光した状態となる（図５（ｃ）参照）。すると、乗員は、発光部４５の全域が発光した状態で識別情報の全体を認識可能となる。また、乗員は、この発光部４５によりステップ部４２Ｂの位置を確認して、これに足を掛けて車両１０を乗降することができる。なお、ドア本体２０が開いた状態から閉じた状態に変更される際には、上述の態様とは逆の態様で、発光部４５およびＬＥＤ３１の状態が変更される。
【００３４】
続いて、本実施形態における車両用照明構造の効果について説明する。
本実施形態の車両用照明構造は、ドア開口部４０を開閉するドア本体２０を備えた車両１０における車両用照明構造であって、ドア本体２０に配設され、紫外光を照射可能なＬＥＤ３１と、ドア開口部４０の下縁部４０Ａに配設され、ＬＥＤ３１からの紫外光によって励起されて蛍光により発光する発光部４５と、を備え、ドア本体２０の開閉動作に伴って、発光部４５に対するＬＥＤ３１からの紫外光の照射領域３１Ａが変位することで、発光部４５における発光範囲４５Ａが変位する構成とされている。本実施形態によれば、ドア本体２０の開閉動作と発光部４５における発光範囲４５Ａとを連動させることができ、簡易な構成で意匠性に優れた車両用照明構造を提供することができる。詳細には、一般的な車両用照明構造として、発光部の裏面側にこれと一体的に光源を配して、発光部を裏面側から光を照射する構造が知られている。このような構造において、仮にドア本体の開閉動作と発光部における発光範囲とを連動させようとする場合には、例えば、発光部に沿って複数の光源を配列した上で、各光源の点灯タイミングをずらして、発光部における発光範囲を変位させるような構成が考えらえる。しかしながら、このような構成では、光源を発光部に沿って複数設ける必要があり、また、その点灯タイミングをドア本体の動作と同期させる必要があり、構成が複雑となることが懸念された。本願発明者は、鋭意検討した結果、光源として紫外光を用いるとともに、光源と発光部とのいずれか一方をドア本体に、他方をドア開口部の開口縁にそれぞれ配設することを新たに着想した。つまり、光源として紫外光を用いることで、光源と発光部を分離した場合であっても、光源からの光が直接的に視認されることがなく、あたかも発光部自体が光っているように見えることを利用して、これらを分離するとともに、光源または発光部のいずれか一方がドア本体に付随して移動可能な車両用照明構造を新たに開発した。このようにして開発された本実施形態の車両用照明構造は、その構成が簡易である上に、人間の視覚に認知され易い動きを伴った意匠を呈するから、その意匠性に優れている。
【００３５】
また、本実施形態では、ドア本体２０は、ドア開口部４０に対してスライド移動することで当該ドア開口部４０を開閉する構成とされており、ＬＥＤ３１は、ドア本体２０に配設されており、発光部４５は、ドア開口部４０の開口縁のうち、車両下方に設けられたスカッフプレート４２に配設されている。このような構成によれば、乗員の乗降に際して、特に目につきやすいスカッフプレート４２において、ドア本体２０のスライド動作と発光部４５における発光範囲４５Ａとを連動させることができ、特に意匠性に優れる。
【００３６】
また、本実施形態では、ドア本体２０は、ドア開口部４０に対してスライド移動することで当該ドア開口部４０を開閉する構成とされており、ＬＥＤ３１は、ドア本体２０に配設されており、発光部４５は、ドア開口部４０の下縁部４０Ａに配設されており、ドア本体２０が閉じた状態から開いた状態へと変更される過程で、発光部４５に対するＬＥＤ３１からの紫外光の照射領域３１Ａが発光部４５における車両前側領域から全域へと変位することで、ドア本体２０が開いた状態では発光部４５の全域が発光する構成とされている。このような構成によれば、ドア本体２０が開く過程で、発光部４５が発光範囲４５Ａを漸次拡大していき、その後、ドア本体２０が開いた状態とされて、乗員が乗降する際には、発光部４５の全域を視認することができ、特に意匠性に優れる。
【００３７】
また、本実施形態では、発光部４５は、発光することで、車両前側から順次に識別可能な識別情報を有している。このような構成によれば、ドア本体２０が閉じた状態から開いた状態に変化する際に、発光部４５の識別情報を順次に認識することができ、乗員の目を引く意匠を実現することができる。
【００３８】
また、本実施形態では、ＬＥＤ３１は、ドア本体２０が閉じた状態から開いた状態へと変更される際に、紫外光を照射しない消灯状態から紫外光を照射する点灯状態へと変更される構成である。このような構成によれば、ドア本体２０の動作とＬＥＤ３１の点灯とを連動させるうえで、特に好適である。
【００３９】
＜実施形態２＞
次に、本発明の実施形態２を図６から図８によって説明する。上記実施形態と同一部分には、同一符号を付して重複する説明を省略する。本実施形態では、ドア本体がドア開口部を開閉する態様が上記実施形態と異なる。
【００４０】
ドア本体１２０は、図７及び図８に示すように、ドア開口部４０に対して回動することで当該ドア開口部４０を開閉するヒンジドアとされている。このドア本体１２０は、その車両前端部を軸Ｌとしてドア開口部４０の前縁部に対して回動可能に取り付けられている。そして、ドア本体１２０は、ドア開口部４０を閉塞する閉じた状態と、ドア開口部４０を開放する開いた状態とを、回動動作によって変更可能な構成とされている。また、ドア本体１２０には、アームレストを構成する膨出部（不図示）の下方に光源ユニット３０（ＬＥＤ３１）が配されている。
【００４１】
本実施形態では、ドア開口部４０の開口縁のうち下縁部４０Ａに発光部１４５が設けられている。具体的には、発光部１４５は、スカッフプレート１４２と、後部座席１２の前方に配されたフロアマット１５に設けられている。発光部１４５のうち、スカッフプレート１４２に設けられた部分は、例えば、上記実施形態１に開示の発光部４５と同様の構成とされている。また、発光部１４５のうち、フロアマット１５に設けられた部分は、例えば、フロアマット１５の表面に半透明性の蛍光体により模様等を施すことにより構成されている。図７においては、発光部１４５が発光することで、星柄の模様を呈するフロアマット１５について例示する。
【００４２】
そして、夜間等、周囲の照度が低い場合であって、ドア本体１２０が閉じた状態から開いた状態に変更されると、ＬＥＤ３１が点灯状態とされ、フロアマット１５及びスカッフプレート１４２が発光部１４５に係る意匠を呈する。本実施形態では、ドア本体１２０が閉じた状態から開いた状態へと変更される過程で、発光部１４５に対するＬＥＤ３１からの紫外光の照射領域３１Ａがフロアマット１５からスカッフプレート１４２へと変位することで、発光部１４５における発光範囲４５Ａがフロアマット１５に設けられた部分からスカッフプレート１４２に設けられた部分へと変位する構成とされている。
【００４３】
＜実施形態３＞
次に、本発明の実施形態３を図９によって説明する。上記実施形態と同一部分には、同一符号を付して重複する説明を省略する。本実施形態では、光源と発光部の配置構成が上記実施形態と異なる。
【００４４】
本実施形態では、ドア本体２２０がヒンジドアとされる構成において、ＬＥＤ３１がドア開口部４０の開口縁に配設され、発光部２４５がドア本体２２０に配設されている。具体的には、ＬＥＤ３１はドア開口部４０の開口縁のうち後縁部４０Ｂに配設され、発光部２４５はドアトリム２３の車両下側かつ後側における意匠面に形成されている。発光部２４５は、いわゆるカーテシーランプのような役割を果たす。
【００４５】
そして、夜間等、周囲の照度が低い場合であって、ドア本体２２０が閉じた状態から開いた状態に変更されると、ＬＥＤ３１が点灯状態とされ、ドアトリム２３が発光部２４５に係る意匠を呈する。本実施形態では、ドア本体２２０が閉じた状態から開いた状態へと変更される過程で、ＬＥＤ３１からの発光部２４５の距離が大きくなる。すると、発光部２４５に対するＬＥＤ３１からの紫外光の照射領域３１Ａが次第に大きくなる一方、単位面積当たりの強度は小さくなる。これに伴い、発光部２４５における発光範囲４５Ａが次第に大きくなるように変位するとともに、発光部２４５における輝度が次第に小さくなるように変化する構成とされている。
【００４６】
＜他の実施形態＞
本発明は上記記述及び図面によって説明した実施形態に限定されるものではなく、例えば次のような実施形態も本発明の技術的範囲に含まれる。
【００４７】
（１）上記実施形態では、ドア本体として、車両の側面に配されたサイドドアを例示したが、これに限定されない。ドア本体は、例えば、車両の後部開口を開閉するバックドアであってもよい。
【００４８】
（２）上記実施形態以外にも、光源の構成は適宜変更可能である。例えば、光源は、その紫外光がライトガイドを介して配光されず、直接的に発光部に照射される構成であってもよい。
【００４９】
（３）上記実施形態以外にも、発光部の構成は適宜変更可能である。例えば、発光部は、加飾パネルに形成されるものではなく、粘着シート等に印刷されたものをスカッフプレート等の部材に貼り付ける構成であってもよい。
【００５０】
（４）上記実施形態以外にも、光源及び発光部の配置は適宜変更可能である。例えば、光源をドア本体の上面に配設するとともに、発光部をドア開口部に上縁部において天井用内装材に形成してもよい。また、発光部の配設場所は、車両用内装材に限られず、サイドシル等の車両ボディであってもよい。
【００５１】
（５）上記実施形態１では、発光部が識別情報を有する構成を例示したが、発光部の構成はこれに限定されない。例えば、発光部は、スカッフプレートのステップ部に、車両前方向に沿って延設されたストライプ形状をなす構成であってもよい。
【符号の説明】
【００５２】
１０…車両、２０，１２０，２２０…ドア本体、３１…ＬＥＤ（光源）、３１Ａ…照射領域、４０…ドア開口部、４０Ａ…下縁部（開口縁）、４０Ｂ…後縁部、４２，１４２…スカッフプレート、４５，１４５，２４５…発光部、４５Ａ…発光範囲
【図１】
0006623721.tif 000002
【図２】
0006623721.tif 000003
【図３】
0006623721.tif 000004
【図４】
0006623721.tif 000005
【図５】
0006623721.tif 000006
【図６】
0006623721.tif 000007
【図７】
0006623721.tif 000008
【図８】
0006623721.tif 000009
【図９】
0006623721.tif 000010